(57)【要約】【課題】  ２種以上の信号をそれより数の少ない組の伝送系で伝送できる信号送信装置及び信号受信装置を提供する。【解決手段】  クロック信号を発生するクロック発信部１と、入力されるＳＩＧ−Ａ信号及びＳＩＧ−Ｂ信号の夫々に、０〜＋Ｖｃｃまでの電圧を印加して全振幅を０〜＋Ｖｃｃに、また０〜−Ｖｃｃまでの電圧を印加して同じくその全振幅を０〜−Ｖｃｃに、夫々シフトさせる加算部２０ａ及び２０ｂと、印加された上記夫々の信号を、上記クロック信号周期でサンプル・アンド・ホールドするサンプル・アンド・ホールド部２２ａ及び２２ｂと、クロック信号の正負夫々の周期毎に各信号が切り出されて出力されるパルス振幅変調部２４ａ及び２４ｂと、両信号が加算され、クロック周期の正負で交互に、夫々の信号が出力され、一組の伝送経路に載せしめる送出部３とを有している。【選択図】    図１
2010273203.tif 000002
【特許請求の範囲】
【請求項１】
第１及び第２の信号を送信する送信装置であって、
正負の所定電圧値の間でクロック波形を発生するクロック発生手段と、
前記第１の信号の波形に応じて前記クロック発生手段が発生したクロック波形の正側を変調する第１の変調手段と、
前記第２の信号の波形に応じて前記クロック発生手段が発生したクロック波形の負側を変調する第２の変調手段と、
前記クロック波形が正のときに前記第１の変調手段の出力を、前記クロック波形が負のときに前記第２の変調手段の出力を、送出する送出手段と
を備えたことを特徴とする信号送信装置。
【請求項２】
前記変調手段は、
前記第１及び第２の信号にそれぞれ正および負の所定電圧を加算する第１及び第２の加算手段と、
前記第１及び第２の加算手段の出力を前記クロック波形に同期した所定のタイミングで標本化する第１及び第２のサンプル・アンド・ホールド手段と、
前記第１のサンプル・アンド・ホールド手段の出力値に応じて前記クロックの正側のパルスを、前記第２のサンプル・アンド・ホールド手段の出力値に応じて前記クロックの負側のパルスを、それぞれ変調する第１及び第２のパルス変調手段と
からなることを特徴とする請求項１に記載の信号送信装置。
【請求項３】
前記第１及び第２のパルス変調手段は、それぞれ前記クロック波形の正側及び負側のクロックパルスの振幅を前記第１及び第２の信号に応じて変調するものであることを特徴とする請求項２に記載の信号送信装置。
【請求項４】
前記第１及び第２のパルス変調手段は、それぞれ前記クロック波形の正側及び負側のクロックパルスのパルス幅を前記第１及び第２の信号に応じて変調するものであることを特徴とする請求項２に記載の信号送信装置。
【請求項５】
請求項１乃至４のいずれかに記載の信号送信装置によって送信された前記第１及び第２の送信波形を受信する信号受信装置であって、
前記送信波形のそれぞれ正側と負側を個別に抽出する第１及び第２の抽出手段と、
前記第１及び第２の抽出手段が抽出した前記送信波形の正側及び負側を、それぞれ復調して前記第１及び第２の信号を得る第１及び第２の復調手段と
を備えたことを特徴とする信号受信装置。
【請求項６】
請求項４に記載の信号送信装置によって送信された送信波形を受信する請求項５に記載の信号受信装置であって、
前記第１及び第２の抽出手段の出力振幅をそれぞれ所定値に制限する第１及び第２の振幅制限手段を備えたことを特徴とする請求項５に記載の信号受信装置。
【発明の詳細な説明】
【技術分野】
【０００１】
本発明は、信号送信装置及び信号受信装置に関する。
【背景技術】
【０００２】
従来のアナログ信号送受信装置では、基準電位（グランド）と信号電位との間の電位差を信号として送受する構成を取っている。
【０００３】
一方、デジタル信号送受信装置では、非同期シリアル通信などの技術を用いて時分割多重化された信号を単一の信号経路とグランド線のセットで送受信することが可能であった。
【発明の開示】
【発明が解決しようとする課題】
【０００４】
上記従来のアナログ信号送受信装置では、基準電位（グランド）と信号電位との間の電位差を信号として送受するため、複数の信号を送受する場合には、信号数＋１（グランド線）の経路が必要であった。これを時分割多重化して複数の信号が信号経路を共有する場合であっても、時分割のタイミングの送受のために、信号経路とは別の経路が必要であった。
【０００５】
他方従来のデジタル信号送受信装置でも、上記のように、非同期シリアル通信などの技術を用いて時分割多重化された信号を単一の信号経路とグランド線のセットで送受することが可能であったが、アナログ信号をデジタル信号に変換する際、及びその逆の変換の際に複雑な変換回路が必要であり、装置が大規模かつ高価なものになりがちである、という欠点があった。
【０００６】
本発明は、以上のような問題に鑑み創案されたもので、第１及び第２の発明の目的は、下記構成を備えることにより、簡単な回路構成で二種類のアナログ信号を単一の信号経路及びグランドのみで送信することが可能となるようにする信号送信装置に係るものである。
【０００７】
また第３の発明の目的は、下記構成を備えることにより、簡単な回路構成で二種類のＰＡＭ信号を単一の信号経路及びグランドのみで送信することが可能となるようにする信号送信装置に係るものである。
【０００８】
第４の発明の目的は、下記構成を備えることにより、簡単な回路構成で二種類のＰＷＭ信号を単一の信号経路及びグランドのみで送信することが可能となるようにする信号送信装置に係るものである。
【０００９】
第５の発明の目的は、下記構成を備えることにより、第１〜第４の発明に係る送信装置が送信した信号から二種類のアナログ信号を分離して受信することが可能となるようにする信号受信装置に係るものである。
【００１０】
さらに第６の発明の目的は、下記構成を備えることにより、第４の発明に係る送信装置が送信した信号から、不要なノイズ成分を取り除いた上で、二種類のアナログ信号を分離して受信することが可能となるようにする信号受信装置に係るものである。
【課題を解決するための手段】
【００１１】
そのため、本発明に係る信号送信装置の構成は、
第１及び第２の信号を送信する送信装置であって、
正負の所定電圧値の間でクロック波形を発生するクロック発生手段と、
前記第１の信号の波形に応じて前記クロック発生手段が発生したクロック波形の正側を変調する第１の変調手段と、
前記第２の信号の波形に応じて前記クロック発生手段が発生したクロック波形の負側を変調する第２の変調手段と、
前記クロック波形が正のときに前記第１の変調手段の出力を、前記クロック波形が負のときに前記第２の変調手段の出力を、送出する送出手段と
を有することを基本的特徴としている。
【００１２】
また、上記本発明に係る信号送信装置における前記変調手段の構成は、
前記第１及び第２の信号にそれぞれ正および負の所定電圧を加算する第１及び第２の加算手段と、
前記第１及び第２の加算手段の出力を前記クロック波形に同期した所定のタイミングで標本化する第１及び第２のサンプル・アンド・ホールド手段と、
前記第１のサンプル・アンド・ホールド手段の出力値に応じて前記クロックの正側のパルスを、前記第２のサンプル・アンド・ホールド手段の出力値に応じて前記クロックの負側のパルスを、それぞれ変調する第１及び第２のパルス変調手段と
からなることを特徴としている。
【００１３】
上記本発明に係る信号送信装置における前記第１及び第２のパルス変調手段の構成は、それぞれ前記クロック波形の正側及び負側のクロックパルスの振幅を前記第１及び第２の信号に応じて変調するものであることを特徴としている。
【００１４】
同じく本発明に係る信号送信装置における前記第１及び第２のパルス変調手段の構成は、それぞれ前記クロック波形の正側及び負側のクロックパルスのパルス幅を前記第１及び第２の信号に応じて変調するものであることを特徴としている。
【００１５】
他方第５の発明の構成は、上記いずれかの信号送信装置によって送信された前記第１及び第２の送信波形を受信する信号受信装置であって、
前記送信波形のそれぞれ正側と負側を個別に抽出する第１及び第２の抽出手段と、
前記第１及び第２の抽出手段が抽出した前記送信波形の正側及び負側を、それぞれ復調して前記第１及び第２の信号を得る第１及び第２の復調手段と
を備えたことを特徴としている。
【００１６】
また第６の発明の構成は、第４の発明に係る信号送信装置によって送信された送信波形を受信する第５の発明に係る信号受信装置であって、前記第１及び第２の抽出手段の出力振幅をそれぞれ所定値に制限する第１及び第２の振幅制限手段を備えたことを特徴としている。
【００１７】
上記第１の発明の構成によれば、第１及び第２の変調手段により、第１の信号の波形に応じてクロック波形の正側を変調し、また第２の信号の波形に応じてクロック波形の負側を変調すると共に、送出手段により、クロック波形が正のときに前記第１の変調手段により変調された出力を、またクロック波形が負のときに前記第２の変調手段により変調された出力を、送出することで、夫々交互に間欠的に正側と負側に振れる変調された信号にされ、それらが一つの転送信号に（クロック周期の正負で交互に、夫々の変調信号が出力）されて、送信装置から１組の転送経路に出力せしめられることになる。
【００１８】
また第２の発明の構成によれば、２つの信号を夫々正側と負側にシフトさせ、上記クロック信号周期で夫々の信号をサンプル・アンド・ホールドし、さらにクロック信号の正負夫々の周期毎に各信号が第１及び第２のパルス変調手段により切り出されることで、夫々交互に間欠的に正側と負側に振れる信号にされ、それらが一つの転送信号に合成（クロック周期の正負で交互に、夫々の信号が出力）されて、送信装置から１組の転送経路に出力せしめられる。
【００１９】
その際、第１及び第２のパルス変調手段の１つの構成としては、それぞれ前記クロック波形の正側及び負側のクロックパルスの振幅を前記第１及び第２の信号に応じて変調するものであることが考えられる。そのような構成とすることで、送出手段により、クロック波形が正のときに前記第１の変調手段により振幅変調された出力を、またクロック波形が負のときに前記第２の変調手段により振幅変調された出力を、送出することで、夫々交互に間欠的に正側と負側に振れる振幅変調された信号にされ、それらが一つの転送信号に（クロック周期の正負で交互に、夫々の振幅変調信号が出力）されて、送信装置から１組の転送経路に出力せしめられることになる。
【００２０】
これに対し、第１及び第２のパルス変調手段は、それぞれ前記クロック波形の正側及び負側のクロックパルスのパルス幅を前記第１及び第２の信号に応じて変調するようにしても良い。そのような構成とすることで、送出手段により、クロック波形が正のときに前記第１の変調手段によりパルス幅変調された出力を、またクロック波形が負のときに前記第２の変調手段によりパルス幅変調された出力を、送出することで、夫々交互に間欠的に正側と負側に振れるパルス幅変調された信号にされ、それらが一つの転送信号に（クロック周期の正負で交互に、夫々のパルス幅変調信号が出力）されて、送信装置から１組の転送経路に出力せしめられることになる。
【００２１】
他方そのような転送信号を受信した側では、第１及び第２の抽出手段により、正側だけの間欠的な信号と、負側だけの間欠的な信号とに分けられ、第１及び第２の復調手段により、抽出された送信波形の正側及び負側がそれぞれ復調されて、前記第１及び第２の信号が得られることになる。
【００２２】
またそのうち、クロックが正負の夫々で、パルス幅変調されて１つの信号となって送出されてきて、それを受信した信号受信装置では、第１及び第２の振幅制限手段により、第１及び第２の抽出手段の出力振幅がそれぞれ所定値に制限されるようにすると、不要なノイズ成分を取り除いて受信することが可能となる。後述する実施例２のクリッパ回路がそれに相当することになる。
【発明の効果】
【００２３】
以上のような本発明の構成によれば、伝送系に載せる信号は、いずれも正側と負側で別々の振幅変調又はパルス幅変調された信号が１つの信号に合成されて、一定のクロック信号周期で伝送系に載せられて、転送され、それを受信した側は、正側と負側で別々に分離されて、元の信号に夫々復調される。従って、これらの信号送受信装置間では、一組の伝送系によって二種類の情報を同時に転送することができるようになるという優れた効果を奏し得る。
【発明を実施するための最良の形態】
【００２４】
以下、本発明の実施の形態を、図面を使用して説明する。
【実施例１】
【００２５】
図１及び図２は、本発明の一実施例に係る２つのアナログ信号ＳＩＧ−Ａ及びＳＩＧ−Ｂを送受信するための信号送受信装置の構成を示す機能ブロック図である。これらの送受信装置は、音楽演奏練習用に、それらの学習者が、これらの内容を教示する先生との間で、個々に学習内容を指示したり、或いは全体にその指示を出したり、各学習者が先生に演奏内容を送ったり、両間で会話をする場合に用いられる構成である。図１及び図２の構成で、片方向の送受信が可能であるので、両方向の通信には、もう一組必要である。また、演奏学習者が多い場合には、先生に対して、学習者人数分の組の送受信装置を用いることになる。
【００２６】
同図に示すように、本実施例の信号送信装置は、図１に示すように、クロック発生部１と、第１変調部２ａ及び第２変調部２ｂと、送出部３とを備えている。  そのうち、上記クロック発生部１は、後述する図５（ｃ）に示すようなクロック信号（高速キャリア信号）を発生するジェネレータである。
【００２７】
また上記第１変調部２ａ及び第２変調部２ｂは、本実施例では、ＳＩＧ−Ａ信号及びＳＩＧ−Ｂ信号に、それぞれ正および負の所定電圧を加算する第１及び第２の加算部２０ａ及び２０ｂと、該第１及び第２の加算部２０ａ及び２０ｂの出力を前記クロック波形に同期した所定のタイミングで標本化する第１及び第２のサンプル・アンド・ホールド部２２ａ及び２２ｂと、第１のサンプル・アンド・ホールド部２２ａの出力値に応じて前記クロックの正側のパルスを、また第２のサンプル・アンド・ホールド部２２ｂの出力値に応じて前記クロックの負側のパルスを、それぞれ振幅変調する第１及び第２のパルス振幅変調部２４ａ及び２４ｂとを有する構成である。
【００２８】
上記加算部２０ａ及び２０ｂは、アナログ加算器で構成され、ＳＩＧ−Ａ及びＳＩＧ−Ｂ信号に対して最大振幅が±Ｖｃｃまで取り得るように、図３（ａ）（ｂ）に示すＳＩＧ−Ａ及びＳＩＧ−Ｂ信号の夫々に、図３（ｃ）（ｄ）に夫々示すように、０〜＋１／２Ｖｃｃまでの電圧を印加して全振幅を０〜＋１／２Ｖｃｃに、また０〜−１／２Ｖｃｃまでの電圧を印加して同じくその全振幅を０〜−１／２Ｖｃｃに、夫々シフトさせる。なお、ＳＩＧ−Ａ信号及びＳＩＧ−Ｂ信号の最大振幅は、いずれも±１／２Ｖｃｃである。
【００２９】
上記サンプル・アンド・ホールド部２２ａ及び２２ｂは、サンプル・アンド・ホールド回路で構成され、上記電圧で夫々印加された上記夫々のアナログ信号を、上記クロック信号周期でサンプル・アンド・ホールドする。図４（ａ）（ｂ）は、前図３（ｃ）（ｄ）に示す信号状態から、図５（ｃ）のクロック信号のアップエッヂ（ＵＰ−ＥＤＧＥ；上昇部分の初めのトップ部分）でサンプル・アンド・ホールドした波形を示している。同図から明らかなように、サンプル・アンド・ホールド部２２ａ及び２２ｂは入力された波形の瞬時値（この場合はクロック信号のアップエッヂの瞬間の値）を保って出力する回路である。クロック信号入力はそのトリガーになる。
【００３０】
これらの図では、クロック信号のアップエッヂでサンプル・アンド・ホールドを行っているので、波形図でも、ＳＩＧ−Ａ信号に対して、ＳＩＧ−Ｂ信号には、クロック信号半周期分の遅延が発生する。この遅延を嫌う場合は、（１）ＳＩＧ−Ｂ側ではクロック信号のダウンエッヂでサンプル・アンド・ホールドを行なう、（２）クロック周期を、遅延時間が問題にならない程度に短く（クロック周波数を高く）する、（３）図１でＳＩＧ−Ｂ側のサンプル・アンド・ホールド部２２ｂへのクロック信号入力を反転して行う［実質的に（１）と同じ］、などの方法で対処することになる。
【００３１】
上記パルス振幅変調部２４ａ及び２４ｂは、アナログゲート回路で構成される。そのうちパルス振幅変調部２４ａは、図４（ａ）に示すような状態のＳＩＧ−Ａについて、図５（ｃ）のクロック信号が正の時に、すなわち、クロック信号の半サイクルに同期して＋側だけを切り出し、図４（ｃ）に示すような信号波形となるＳＩＧ−Ａを通過させる。自分の半サイクルでない期間（−側）は０Ｖが出力される。またパルス振幅変調部２４ｂは、図４（ｂ）に示すような状態のＳＩＧ−Ｂについて、図５（ｃ）のクロック信号が負の時に、すなわち、クロック信号の半サイクルに同期して−側だけを切り出し、図４（ｄ）に示すような信号波形となるＳＩＧ−Ｂを通過させる。自分の半サイクルでない期間（＋側）は０Ｖが出力される。
【００３２】
上記送出部３は、アナログ加算回路で構成されており、上記図４（ｃ）に相当する図５（ａ）に示すような正側の振幅をとるＳＩＧ−Ａ（正側クロック信号に乗ったアナログ信号）と、上記図４（ｄ）に相当する図５（ｂ）に示すようなに示すような負側の振幅をとるＳＩＧ−Ｂ（負側クロック信号に乗ったアナログ信号）とを加算合成して、全体として図５（ｄ）に示したような間欠的に正側と負側の振幅を交互にとる１の高周波アナログ信号とし、それを１組の伝送経路に出力する構成である。
【００３３】
他方本実施例の信号受信装置は、図２に示すように、第１及び第２の抽出部４ａ及び４ｂと、第１及び第２の復調部５ａ及び５ｂとを備えている。
【００３４】
上記抽出部４ａ及び４ｂは、同じく、向きが互いに反対方向のダイオードで構成され、上記転送経路からプラグで本受信装置に受信される上記高周波信号を、図５（ａ）（ｂ）［又は図４（ｃ）（ｄ）］に示すように、信号の正負を分離する。
【００３５】
上記復調部５ａ及び５ｂは、ＣＲフィルタによる平滑回路で構成され、上記正負で分離された状態の信号は、該復調部５ａ及び５ｂにより、図４（ａ）（ｂ）に示すように、正側及び負側のアナログ信号を夫々包絡させて、電圧を元の状態にシフトさせ、最終的に図３（ａ）（ｂ）に示すようなＳＩＧ−Ａ及びＳＩＧ−Ｂの２つのアナログ信号に夫々復調している。
【００３６】
上記実施例１の構成によれば、２つの信号ＳＩＧ−Ａ及びＳＩＧ−Ｂは、上記加算部２０ａ及び２０ｂにより、夫々正側と負側にシフトされ、上記サンプル・アンド・ホールド部２２ａ及び２２ｂにより、クロック信号周期で夫々の信号がサンプル・アンド・ホールドされる。さらに上記パルス振幅変調部２４ａ及び２４ｂにより、クロック信号の正負夫々の周期毎に各アナログ信号が切り出されることで、夫々交互に間欠的に正側と負側に振れるアナログ信号にされる。それらが、上記送出部３により、一つの転送信号に加算合成（クロック周期の正負で交互に、夫々のアナログ信号が出力）されて、図１の送信装置から１組の転送経路に出力せしめられる。
【００３７】
他方そのような転送信号が受信された図２の信号受信装置側では、上記抽出部４ａ及び４ｂにより、正側だけの間欠的なアナログ信号と、負側だけの間欠的なアナログ信号とに分けられる。正側だけの間欠的なアナログ信号は、上記復調部５ａにより包絡され、電圧を元の状態にシフトさせてＳＩＧ−Ａのアナログ信号に復調される。他方、負側だけの間欠的なアナログ信号も、上記復調部５ｂにより包絡され、電圧を元の状態にシフトさせて、ＳＩＧ−Ｂのアナログ信号に復調される。
【００３８】
従って、これらの信号送受信装置間では、一組の伝送系によって二種類の情報を同時に転送することができるようになる。
【実施例２】
【００３９】
図６及び図７は、本願第２の発明の実施例に係る２つのアナログ信号ＳＩＧ−Ａ及びＳＩＧ−Ｂを送受信するための信号送受信装置の構成を示す機能ブロック図である。これらの信号送受信装置は、実施例１とほぼ同様な構成を有しているが、信号送信装置側の第１及び第２の変調部２ａ及び２ｂにおけるパルス振幅変調部２４ａ及び２４ｂに代わり、パルス幅変調部２４ａ’及び２４ｂ’が設けられており、一組の伝送系に出力される信号は、パルス信号である。その他は、図７のクリッパ回路６ａ及び６ｂを除き、実施例１と同様であるので、同一構成には同一番号が付されている。
【００４０】
これらの実施例の装置も、音楽演奏練習用に、それらの学習者が、これらの内容を教示する先生との間で、個々に学習内容を指示したり、或いは全体にその指示を出したり、各学習者が先生に演奏内容を送ったり、両間で会話をする場合に用いられる構成である。図６及び図７の構成で、片方向の送受信が可能であるので、両方向の通信には、もう一組必要である。また、演奏学習者が多い場合には、先生に対して、学習者人数分の組の送受信装置を用いることになる。
【００４１】
ここで上記パルス幅変調部２４ａ’及び２４ｂ’の構成について説明する。該パルス幅変調部２４ａ’及び２４ｂ’は、例えば図８に示す積分回路２４０と比較回路２４２で構成されており、入力電圧に比例して出力パルスのＯＮ時間幅を長くしたり短くしたり制御する構成である。すなわち、夫々のアナログ信号の振幅に応じたデューティー比になるように、正側パルス信号及び負側パルス信号に変調する構成である。
【００４２】
このパルス幅変調部２４ａ’及び２４ｂ’の構成は、クロック信号がＯＮになると、積分回路２４０により、ＳＩＧ−Ａ信号では電圧が最小値から、またＳＩＧ−Ｂ信号では電圧が最大値から、夫々定率で、ＳＩＧ−Ａ信号では上昇することになり、またＳＩＧ−Ｂ信号では降下することになる。これに対し、比較回路２４２はこの上昇（又は降下）する電圧と、入力されたサンプル・アンド・ホールドされた電圧とを比較し、ＳＩＧ−Ａ信号ではサンプル・アンド・ホールド電圧が上回る、ＳＩＧ−Ｂ信号ではサンプル・アンド・ホールド電圧が下回るまで、出力を、ＳＩＧ−Ａ信号では＋Ｖｃｃに、ＳＩＧ−Ｂ信号では−Ｖｃｃに維持した上で、そのごにする。従って、出力側では、サンプル・アンド・ホールド電圧に比例した時間幅の定電圧パルスが発生する。
【００４３】
図９（ａ）（ｂ）は、上記積分回路２４０での信号処理状態と上記比較回路２４２での信号処理状態を示している。同図（ａ）において、破線はクロック信号出力の波形、斜線はクロック信号出力を積分回路２４０に入力した場合の積分回路の出力波形、太線はＳＩＧ−Ａのサンプル・アンド・ホールド部２２ａ出力、一点鎖線は積分回路２４０出力とサンプル・アンド・ホールド部２２ａ出力が交わる時刻を示す。
【００４４】
他方図８の比較回路２４２は、入力Ａ（サンプル・アンド・ホールド出力）が入力Ｂ（積分回路２４０出力）より高電位の場合にＯＮ出力、そうでない場合にＯＦＦ出力するので、図９（ａ）に示すように、クロックスタート時から積分回路２４０出力（クロックタイミング毎に一定の波形を描く）が、サンプル・アンド・ホールド部２２ａ出力（ＳＩＧ−Ａの波形値による）を上回るまでの間、図９（ｂ）に示すように、比較回路２４２はＯＮを出力する。従って、比較回路２４２出力のパルス幅がＳＩＧ−Ａの波形値に比例するパルス幅変調波形が生成される。またクロックがＯＦＦの間は、比較回路２４２の出力はゲート（０Ｖを出力）されるので、その間の回路動作はその後の値に影響しない。さらに、積分回路２４０はクロック信号が負の値を取るとリセットされ、正に反転すると再度積分演算を開始する。
【００４５】
図１０（ａ）（ｂ）は、パルス幅変調部２４ａ’による、クロック周期に応じた間欠的な正側のＳＩＧ−Ａ信号（サンプル・アンド・ホールドされた信号）を、その振幅に応じたデューティー比になるように、パルス信号に変調した状態を示す説明図である。また同図（ｃ）（ｄ）は、パルス幅変調部２４ｂ’による、クロック周期に応じた間欠的な負側のＳＩＧ−Ｂ信号（サンプル・アンド・ホールドされた信号）を、その振幅に応じたデューティー比になるように、パルス信号に変調した状態を示す説明図である。
【００４６】
他方図７の信号受信装置では、上記パルス信号を、実施例１の図２と同じ回路で受信することができるが、上記実施例１の方式と異なり、ダイオードで構成される上記抽出部４ａ及び４ｂと上記復調部５ａ及び５ｂの間に、上述のように、振幅制限手段となるクリッパ回路６ａ及び６ｂが挿入されており、抽出４ａ及び４ｂの出力振幅をそれぞれ所定値に制限することで、伝送経路内で加わった余計なノイズ（電圧変動）を極力排除することができるようにしている。
【００４７】
以上詳述した実施例２の構成では、２つのＳＩＧ−Ａ信号とＳＩＧ−Ｂ信号は、正側と負側に夫々シフトされ、上記クロック信号周期で夫々の信号がサンプル・アンド・ホールドされ、さらにクロック信号の正負夫々の周期毎に各信号が切り出されると共に、上記パルス幅変調部２４ａ’及び２４ｂ’により、夫々の振幅に応じたデューティー比になるパルス信号に正側及び負側で夫々パルス幅変調される。それらが一つの転送信号に加算合成（クロック周期の正負で交互に、夫々のパルス信号が出力）されて、送信装置から１組の転送経路に出力される。
【００４８】
他方そのような転送パルス信号を受信した信号受信装置では、正側だけのパルス信号と負だけ側のパルス信号とに分離され、夫々の信号はそのデューティー比に応じた振幅になる間欠的な信号に夫々変換され、これらの各信号が包絡されて、電圧が元の状態にシフトされ、アナログのＳＩＧ−Ａ信号及びＳＩＧ−Ｂ信号に夫々復調される。
【００４９】
従って、この実施例２の信号送受信装置間でも、一組の伝送系によって二種類の情報を同時に転送することができるようになる。
【００５０】
尚、本発明の信号送信装置及び信号受信装置は、上述の図示例にのみ限定されるものではなく、本発明の要旨を逸脱しない範囲内において種々変更を加え得ることは勿論である。
【産業上の利用可能性】
【００５１】
本発明の信号送信装置及び信号受信装置は、音楽演奏学習用や語学練習用の１対多数ないし多数対多数間の送受信を行う集団学習装置の構成として用いることが可能である。
【図面の簡単な説明】
【００５２】
【図１】本発明の実施例１に係るＳＩＧ−Ａ信号及びＳＩＧ−Ｂ信号を送信するための信号送信装置の構成を示す機能ブロック図である。
【図２】同じく実施例１におけるＳＩＧ−Ａ信号及びＳＩＧ−Ｂ信号を受信するための信号受信装置の構成を示す機能ブロック図である。
【図３】実施例１における信号送信装置中のクロック信号とＳＩＧ−Ａ信号及びＳＩＧ−Ｂ信号との間で、信号が変調処理される過程を示す波形図である。
【図４】同じく実施例１における信号送信装置中で、ＳＩＧ−Ａ信号及びＳＩＧ−Ｂ信号に信号が変調処理される過程を示す波形図である。
【図５】同じく実施例１における信号送信装置中で、ＳＩＧ−Ａ信号及びＳＩＧ−Ｂ信号に信号が変調処理される最終過程を示す波形図である。
【図６】実施例２に係るＳＩＧ−Ａ信号及びＳＩＧ−Ｂ信号を送信するための信号送信装置の構成を示す機能ブロック図である。
【図７】同じく実施例２におけるＳＩＧ−Ａ信号及びＳＩＧ−Ｂ信号を受信するための信号受信装置の構成を示す機能ブロック図である。
【図８】実施例２のパルス幅変調部２４ａ’及び２４ｂ’が、積分回路２４０と比較回路２４２で構成されている場合の回路図である。
【図９】上記積分回路２４０及び比較回路２４２での信号処理状態を示す説明図である。
【図１０】実施例２におけるパルス幅変調部２４ａ’及び２４ｂ’による、クロック周期に応じた間欠的な正側のＳＩＧ−Ａ信号及びＳＩＧ−Ｂ信号を、夫々の振幅に応じたデューティー比になるように、パルス信号に対し、そのパルス幅を変調した状態を示す説明図である。
【符号の説明】
【００５３】
１                クロック発生部
２ａ、２ｂ        変調部
３                送出部
４ａ、４ｂ        抽出部
５ａ、５ｂ        復調部
６ａ、６ｂ        クリッパ回路
２０ａ、２０ｂ      加算部
２２ａ、２２ｂ      サンプル・アンド・ホールド部
２４ａ、２４ｂ      パルス振幅変調部
２４ａ’、２４ｂ’  パルス幅変調部
２４０                積分回路
２４２                比較回路
【図１】
2010273203.tif 000003
【図２】
2010273203.tif 000004
【図３】
2010273203.tif 000005
【図４】
2010273203.tif 000006
【図５】
2010273203.tif 000007
【図６】
2010273203.tif 000008
【図７】
2010273203.tif 000009
【図８】
2010273203.tif 000010
【図９】
2010273203.tif 000011
【図１０】
2010273203.tif 000012